(57)【特許請求の範囲】
【請求項１】
商品預け替え取引に対応する購入商品の情報に基づき、前記購入商品の購入取引の発注の時点を特定し、時系列上で当該購入取引の発注の時点以前の何れかの時点を変更締切時点として決定する決定手段と、
申込済みの前記商品預け替え取引に対応する購入商品の変更指示を受け付ける受付手段と、
前記変更締切時点までに前記変更指示が受付けられたか否かを判定する判定手段と、
前記変更締切時点までに前記変更指示が受付けられた場合に、前記変更指示に基づいて、前記商品預け替え取引に対応する購入商品を変更する変更手段と、
を有するシステム。
【請求項２】
前記決定手段は、前記商品預け替え取引に対応する購入取引の発注日に基づいて、前記変更締切時点を決定し、
前記変更手段は、前記決定手段により決定された前記変更締切時点までに、前記受付手段により前記変更指示が受付けられた場合、前記変更指示に基づいて、前記商品預け替え取引に対応する購入商品を変更する請求項１記載のシステム。
【請求項３】
前記受付手段は、購入商品の変更指示に利用される購入商品変更画面を介して、前記商品預け替え取引に対応する購入商品の変更指示を受け付け、
前記変更手段は、前記変更締切時点までに、前記受付手段により前記変更指示が受付けられた場合、前記変更指示に基づいて、前記商品預け替え取引に対応する購入商品を、前記購入商品変更画面に指定された商品に変更する請求項１または２記載のシステム。
【請求項４】
前記受付手段は、複数の購入商品の指定に利用される前記購入商品変更画面を介したユーザの操作に基づいて、前記商品預け替え取引に対応する購入商品の変更指示を受け付け、
前記変更手段は、前記変更締切時点までに、前記受付手段により前記変更指示が受付けられた場合、前記変更指示に基づいて、前記商品預け替え取引に対応する購入商品を、前記購入商品変更画面に指定された複数の商品に変更する請求項３記載のシステム。
【請求項５】
前記受付手段は、確定拠出年金に関する前記商品預け替え取引に対応する購入商品の変更指示を受け付ける請求項１乃至４何れか１項記載のシステム。
【請求項６】
商品預け替え取引に対応する購入商品の情報に基づき、前記購入商品の購入取引の発注の時点を特定し、時系列上で当該購入取引の発注の時点以前の何れかの時点を変更締切時点として決定する決定手段と、
申込済みの前記商品預け替え取引に対応する購入商品の変更指示を受け付ける受付手段と、
前記変更締切時点までに前記変更指示が受付けられたか否かを判定する判定手段と、
前記変更締切時点までに前記変更指示が受付けられた場合に、前記変更指示に基づいて、前記商品預け替え取引に対応する購入商品を変更する変更手段と、
を有する情報処理装置。
【請求項７】
システムが実行する情報処理方法であって、
商品預け替え取引に対応する購入商品の情報に基づき、前記購入商品の購入取引の発注の時点を特定し、時系列上で当該購入取引の発注の時点以前の何れかの時点を変更締切時点として決定する決定ステップと、
申込済みの前記商品預け替え取引に対応する購入商品の変更指示を受け付ける受付ステップと、
前記受付ステップで前記変更指示が受付けられた時点が、前記変更締切時点以前か否かを判定する判定ステップと、
前記変更締切時点までに前記変更指示が受付けられた場合に、前記変更指示に基づいて、前記商品預け替え取引に対応する購入商品を変更する変更ステップと、
を含む情報処理方法。
【請求項８】
情報処理装置が実行する情報処理方法であって、
商品預け替え取引に対応する購入商品の情報に基づき、前記購入商品の購入取引の発注の時点を特定し、時系列上で当該購入取引の発注の時点以前の何れかの時点を変更締切時点として決定する決定ステップと、
申込済みの前記商品預け替え取引に対応する購入商品の変更指示を受け付ける受付ステップと、
前記受付ステップで前記変更指示が受付けられた時点が、前記変更締切時点以前か否かを判定する判定ステップと、
前記変更締切時点までに前記変更指示が受付けられた場合に、前記変更指示に基づいて、前記商品預け替え取引に対応する購入商品を変更する変更ステップと、
を含む情報処理方法。
【請求項９】
コンピュータに、
商品預け替え取引に対応する購入商品の情報に基づき、前記購入商品の購入取引の発注の時点を特定し、時系列上で当該購入取引の発注の時点以前の何れかの時点を変更締切時点として決定する決定ステップと、
申込済みの前記商品預け替え取引に対応する購入商品の変更指示を受け付ける受付ステップと、
前記受付ステップで前記変更指示が受付けられた時点が、前記変更締切時点以前か否かを判定する判定ステップと、
前記変更締切時点までに前記変更指示が受付けられた場合に、前記変更指示に基づいて、前記商品預け替え取引に対応する購入商品を変更する変更ステップと、
を実行させるためのプログラム。
【発明の詳細な説明】
【技術分野】
【０００１】
本発明は、システム、情報処理装置、情報処理方法及びプログラムに関する。
【背景技術】
【０００２】
近年、多くの人が、自身の持つ資産を貯蓄・投資する資産運用を行っており、資産運用のための様々な仕組みが提供されている。特許文献１には、資産運用を支援するシステムが開示されている。
【先行技術文献】
【特許文献】
【０００３】
【特許文献１】特開２００２−１４９９６４号公報
【発明の概要】
【発明が解決しようとする課題】
【０００４】
資産運用において、現在保有している運用商品の一部又は全部を売却し、その代金で他の運用商品を購入する商品預け替え取引（スイッチング）という取引がある。商品預け替え取引の申し込みにおいて、売却対象の商品、その売却数量、及び購入する商品を指定することになる。商品預け替え取引において、商品預け替え取引の申し込み後、売却発注から購入発注まで、一定の期間がかかる。そのため、商品預け替え取引の申し込みの際に指定した購入対象の商品の単価が、その期間のうちに変動することがあり、想定外の単価での購入対象の商品を購入することとなる場合があるという問題がある。売却対象の商品の売却発注の前に設定された商品預け替え取引の申し込み取消期限（例えば、商品預け替え取引申し込み直後の午前１０時）までの間に、商品預け替え取引の申し込み自体を取消すことができるが、購入の取消しのみを行うことはできない。また、商品預け替え取引における購入対象の商品を変更する仕組みも提供されていない。
そこで本発明は、商品預け替え取引において想定外の単価で商品を購入するリスクを低減させる技術を提供することを目的とする。
【課題を解決するための手段】
【０００５】
本発明のシステムは、商品預け替え取引に対応する購入商品の情報に基づき、前記購入商品の購入取引の発注の時点を特定し、時系列上で当該購入取引の発注の時点以前の何れかの時点を変更締切時点として決定する決定手段と、申込済みの前記商品預け替え取引に対応する購入商品の変更指示を受け付ける受付手段と、前記変更締切時点までに前記変更指示が受付けられたか否かを判定する判定手段と、前記変更締切時点までに前記変更指示が受付けられた場合に、前記変更指示に基づいて、前記商品預け替え取引に対応する購入商品を変更する変更手段と、を有する。
【発明の効果】
【０００６】
本発明によれば、商品預け替え取引において想定外の単価で商品を購入するリスクを低減させる技術を提供することができる。
【図面の簡単な説明】
【０００７】
【図１】図１は、資産運用の概要を説明する図である。
【図２】図２は、商品預け替え取引における商品売却の一例について説明する図である。
【図３】図３は、商品預け替え取引における商品購入の一例について説明する図である。
【図４】図４は、購入商品変更処理を説明する図である。
【図５】図５は、運用支援システムのシステム構成の一例を示す図である。
【図６】図６は、管理サーバ装置のハードウェア構成の一例を示す図である。
【図７】図７は、商品預け替え取引の際の運用支援システムの処理の一例を示すシーケンス図である。
【図８Ａ】図８Ａは、売却商品選択画面の一例を示す図である。
【図８Ｂ】図８Ｂは、購入商品選択画面の一例を示す図である。
【図８Ｃ】図８Ｃは、売却数量指定画面の一例を示す図である。
【図８Ｄ】図８Ｄは、申込確認画面の一例を示す図である。
【図８Ｅ】図８Ｅは、申込完了画面の一例を示す図である。
【図９】図９は、運用支援システムの処理の一例を示すシーケンス図である。
【図１０Ａ】図１０Ａは、取引選択画面の一例を示す図である。
【図１０Ｂ】図１０Ｂは、購入商品選択画面の一例を示す図である。
【図１０Ｃ】図１０Ｃは、指示内容確認画面の一例を示す図である。
【図１０Ｄ】図１０Ｄは、指示完了画面の一例を示す図である。
【図１１Ａ】図１１Ａは、取引取消画面の一例を示す図である。
【図１１Ｂ】図１１Ｂは、取消内容確認画面の一例を示す図である。
【図１１Ｃ】図１１Ｃは、取消完了画面の一例を示す図である。
【図１２】図１２は、管理サーバ装置の処理の一例を示す図である。
【図１３】図１３は、申込済みの商品預け替え取引の情報の一例を示す図である。
【図１４】図１４は、管理サーバ装置の処理の一例を示す図である。
【発明を実施するための形態】
【０００８】
以下、本発明の実施形態について図面に基づいて説明する。
【０００９】
＜実施形態＞
（資産運用の概要）
図１は、資産運用の概要を説明する図である。本実施形態では、資産運用として、確定拠出年金制度での資産運用を例に説明する。確定拠出年金制度には、企業が実施する企業型年金や、国民年金基金連合会が実施する個人型年金がある。本実施形態では、企業型年金での資産運用を例に説明する。
資産運用は、商品提供機関１１０、資産管理機関１２０、企業１３０、運営管理機関１４０により行われる。本実施形態では、商品提供機関１１０（１）、商品提供機関１１０（２）、・・・、商品提供機関１１０（ｘ）、・・・の複数の商品提供機関を、商品提供機関１１０と総称する。また、資産管理機関１２０（１）、資産管理機関１２０（２）、・・・、資産管理機関１２０（ｘ）、・・・の複数の資産管理機関を、資産管理機関１２０と総称する。また、企業１３０（１）、企業１３０（２）、・・・、企業１３０（ｘ）、・・・の複数の企業を、企業１３０と総称する。
【００１０】
また、商品提供機関１１０（１）、商品提供機関１１０（２）、・・・、商品提供機関１１０（ｘ）、・・・は、それぞれ商品提供機関装置１１１（１）、商品提供機関装置１１１（２）、・・・、商品提供機関装置１１１（ｘ）、・・・を含む。以下では、商品提供機関装置１１１（１）、商品提供機関装置１１１（２）、・・・、商品提供機関装置１１１（ｘ）、・・・を総称して、商品提供機関装置１１１とする。
また、資産管理機関１２０（１）、資産管理機関１２０（２）、・・・、資産管理機関１２０（ｘ）、・・・は、それぞれ資産管理機関装置１２１（１）、資産管理機関装置１２１（２）、・・・、資産管理機関装置１２１（ｘ）、・・・を含む。以下では、資産管理機関装置１２１（１）、資産管理機関装置１２１（２）、・・・、資産管理機関装置１２１（ｘ）、・・・を総称して、資産管理機関装置１２１とする。
また、企業１３０（１）、企業１３０（２）、・・・、企業１３０（ｘ）、・・・には、それぞれ企業型年金の加入者が所属している。企業１３０（１）、企業１３０（２）、・・・、企業１３０（ｘ）、・・・に所属する加入者は、それぞれ、管理サーバ装置１４１と通信するためのＰＣやタブレット装置等の情報処理装置である加入者装置を保有する。以下では、企業１３０（１）、企業１３０（２）、・・・、企業１３０（ｘ）、・・・に所属する加入者が保有する加入者装置を総称して、加入者装置１３１とする。また、以下では、企業型年金の加入者、運用指定者等を単に加入者等とする。
また、運営管理機関１４０は、管理サーバ装置１４１を含む。
【００１１】
商品提供機関１１０のそれぞれは、運用商品を提供する銀行、証券会社、保険会社等の金融機関である。
資産管理機関１２０のそれぞれは、加入者等の資産を管理する機関であり、企業１３０からの拠出金の受入や加入者等への給付金の支払等を行う。
企業１３０のそれぞれは、加入者が所属する企業である。企業１３０に所属する加入者等のそれぞれは、加入者等からの資産の運用指示等を、運営管理機関１４０に通知する。
運営管理機関１４０は、確定拠出年金の運営管理を行う機関である。運営管理機関１４０は、加入者等についての事項を記録したり、加入者等に運用の状況等を通知したり、加入者等からの運用指示をとりまとめたり、運用指示を資産管理機関へ通知したり、運用する商品を選定・提示したり、運用する商品についての情報を提供したりする。
運営管理機関１４０は、企業１３０に所属する加入者等からの運用指示の通知を受けて、商品提供機関１１０や資産管理機関１２０に対して、資産の運用を指示することで資産運用を実現する。運営管理機関１４０は、商品提供機関１１０と、資産管理機関１２０との間の情報授受等を一元管理する。
【００１２】
（商品預け替え取引の概要）
図２、３を用いて、商品預け替え取引について説明する。
図２は、商品預け替え取引における商品売却の一例を説明する図である。企業１３０（Ｘ）に所属する加入者Ａは、運営管理機関１４０に対して、所望する商品の運用を指示する（図２の［１］参照）。ここでの運用指示は、例えば、商品提供機関１１０（Ｘ）（商品提供機関Ａ）での投資信託（以下、「Ａ投信」と言う）を売却し、商品提供機関１１０（Ｘ＋ｎ）（商品提供機関Ｂ）での投資信託（以下、「Ｂ投信」と言う）を購入する、といった指示である。
加入者Ａは、運用指示を、運用指示の内容を記載した書面を運営管理機関１４０に送付することで通知してもよいし、運営管理機関１４０のコールセンタに電話することで通知してもよい。また、加入者Ａは、図５で後述する加入者装置１３１（Ｘ）を操作して、図２で後述する管理サーバ装置１４１が提供するＷｅｂインターフェースにデータを入力することで、運用指示を運営管理機関１４０に通知してもよい。
【００１３】
運営管理機関１４０は、加入者Ａからの運用指示の通知を受けると、通知された運用指示により示される「Ａ投信の売却」の指示に従って、商品提供機関１１０（Ｘ）へ当該指示（Ａ投信の売却指示）を通知する。また、運営管理機関１４０は、Ａ投信の売却指示を、Ａ投信を管理している資産管理機関１２０（Ｘ）にも通知する（図２中の［２］参照）。
商品提供機関１１０（Ｘ）は、運営管理機関１４０からの運用指示の通知を受けると、通知された運用指示に従い約定する旨を資産管理機関１２０（Ｘ）及び運営管理機関１４０へ連絡（約定受注連絡）する（図２中の［３］参照）。そして、商品提供機関１１０（Ｘ）は、運営管理機関１４０から通知された運用指示に従った処理（売却処理）を実行した結果（取引結果）を、資産管理機関１２０（Ｘ）及び運営管理機関１４０へ報告する（図２中の［４］参照）。また、商品提供機関１１０（Ｘ）は、Ａ投信の売却代金を資産管理機関１２０（Ｘ）へ送金する（図２中の［５］参照）。
【００１４】
図３は、商品預け替え取引における商品購入の一例を説明する図である。図２で説明した商品預け替え取引における商品売却が行われた後に、加入者Ａの運用指示によるＢ投信の購入が行われる。
運営管理機関１４０は、商品提供機関１１０（Ｘ）から取引結果（商品預け替え取引による売却）の報告を受けた（図２中の［４］参照）翌営業日以降に、購入受渡日が売却受渡日の翌日となるようにして、加入者Ａからの運用指示（図２中の［１］参照）により示される「Ｂ投信の購入」の指示に従って、Ｂ投信を取り扱う商品提供機関１１０（Ｘ＋ｎ）へ当該指示（Ｂ投信の購入指示）を通知する（図３中の［６］参照）。
商品提供機関１１０（Ｘ＋ｎ）は、運営管理機関１４０からの運用指示を受けると、運用指示に従い約定する旨を資産管理機関１２０（Ｘ）及び運営管理機関１４０へ通知（約定受注連絡）する（図３中の［７］参照）。そして、商品提供機関１１０（Ｘ＋ｎ）は、運営管理機関１４０からの運用指示に従った処理（購入処理）を実行した結果（取引結果）を、資産管理機関１２０（Ｘ）及び運営管理機関１４０へ通知する（図３中の［８］参照）。
運営管理機関１４０は、商品提供機関１１０（Ｘ＋ｎ）からの取引報告を、加入者Ａへ通知する（図３中の［１０］参照）。
資産管理機関１２０（Ｘ）は、商品提供機関１１０（Ｘ＋ｎ）からの取引報告に従って、Ｂ投信の購入代金を商品提供機関１１０（Ｘ＋ｎ）へ送金する（図３中の［９］参照）。
【００１５】
（本実施形態の処理の概要）
ここで、本実施形態の運用支援システム１００が実行する購入商品の変更処理の概要について説明する。図４は、購入商品の変更処理を説明する図である。以下では、商品預け替え取引における購入対象の商品を、購入商品とする。また、以下では、商品預け替え取引における売却対象の商品を、売却商品とする。
図４（ａ）は、従来の商品預け替え取引における商品の売却及び購入について説明する図である。図４（ａ）を用いて、商品Ａを売却し、売却で得られた金額で商品Ｂを購入する商品預け替え取引の申込が行われた場合について説明する。図４（ａ）の表は、商品預け替え取引申込の日の翌日に商品Ａの売却の発注及び約定が行われ、商品預け替え取引申込の日の６日後に商品Ａの受け渡しが行われることを示している。図４（ａ）の表は、商品預け替え取引申込の日の６日後に商品Ａの受け渡しが行われた後に商品Ｂの発注及び約定が行われることを示している。そして、商品預け替え取引申込の日の７日後に商品Ｂの受け渡しが行われ、商品預け替え取引の取引が完了する。
商品預け替え取引を申し込む加入者等は、商品預け替え取引申込の時点における商品Ｂの単価に基づいて、商品預け替え取引を行うか否かを判断することになる。しかし、商品Ｂの単価は、商品預け替え取引申込の時点以降も変動する可能性があり、実際に商品Ｂの発注の時点（図４（ａ）の例では、商品預け替え取引申込の時点から６日後）で、想定外の値になっている可能性がある。そのため、商品預け替え取引の申込をした者は、望まない単価で商品Ｂを購入しなければならなくなる可能性があるという問題がある。
【００１６】
この問題に対して、本実施形態の運用支援システム１００は、商品預け替え取引申込後でも、購入商品の発注がなされる時点以前に設定された締切の時点までの期間、購入商品を変更する機能を提供する。これにより、商品預け替え取引を申込んだ者は、商品預け替え取引申込後に、購入商品の単価が変動し、所望の値でなくなった場合、購入商品を変更することで、想定外の単価で商品を購入することを回避することができるようになる。
図４（ｂ）は、購入商品の変更について説明する図である。図４（ｂ）を用いて、商品Ａを売却し、売却で得られた金額で商品Ｂを購入する商品預け替え取引の申込が行われ、購入商品を商品Ｂから商品Ｃに変更される場合について説明する。図４（ｂ）の表は、商品預け替え取引申込の日の翌日に商品Ａの売却の発注及び約定が行われ、商品預け替え取引申込の日の６日後に商品Ａの受け渡しが行われることを示している。商品預け替え取引申込をした者は、商品預け替え取引申込から５日の時点で、商品Ｂの単価が想定外の値に変動していることを確認した場合、購入する商品を、商品Ｂから商品Ｃに変更する。そして、商品預け替え取引申込から６日目に商品Ｃの発注及び約定が行われる。そして、商品預け替え取引申込の日の７日後に商品Ｃの受け渡しが行われ、商品預け替え取引の取引が完了する。
【００１７】
（運用支援システムのシステム構成）
図５は、運用支援システム１００のシステム構成の一例を示す図である。運用支援システム１００は、確定拠出年金制度での資産運用を支援するシステムであり、商品提供機関装置１１１、資産管理機関装置１２１、加入者装置１３１、管理サーバ装置１４１を含む。商品提供機関装置１１１、資産管理機関装置１２１、加入者装置１３１は、ネットワーク１５０を介して、管理サーバ装置１４１と相互に接続されている。
商品提供機関装置１１１のそれぞれは、管理サーバ装置１４１からの資産の運用指示を受信し、受信した運用指示に応じて、商品の購入や売却に係る処理を行うＰＣ（パーソナルコンピュータ）やタブレット端末等の情報処理装置である。
資産管理機関装置１２１のそれぞれは、管理サーバ装置１４１からの資産の運用指示を受信し、受信した運用指示に応じて、資産管理に係る処理を行うＰＣやタブレット端末等の情報処理装置である。
加入者装置１３１のそれぞれは、加入者等からの資産（個人別管理資産）の運用指示（商品預け替え取引の申込等）等を管理サーバ装置１４１に送信するＰＣやタブレット端末等の情報処理装置である。
管理サーバ装置１４１は、加入者装置１３１からの運用指示に応じて、商品提供機関装置１１１や資産管理機関装置１２１に対して、運用指示を送信するサーバ装置やＰＣ等の情報処理装置である。管理サーバ装置１４１は、商品提供機関装置１１１、資産管理機関装置１２１、加入者装置１３１等から送信された情報を受信する情報受信機能１４２を含む。また、管理サーバ装置１４１は、商品提供機関装置１１１、資産管理機関装置１２１、加入者装置１３１等に対して情報を送信する情報送信機能１４３を含む。また、管理サーバ装置１４１は、商品提供機関装置１１１、資産管理機関装置１２１、加入者装置１３１等から送信された情報を管理する情報管理機能１４４を含む。また、管理サーバ装置１４１は、情報管理機能１４４が管理する情報を記憶するためのデータベース（ＤＢ）１４７を含む。また、管理サーバ装置１４１は、商品提供機関装置１１１、資産管理機関装置１２１、加入者装置１３１等に対してＷｅｂサイトの提供等を行うＷｅｂサーバとしての機能を含む。
【００１８】
（管理サーバ装置のハードウェア構成）
図６は、管理サーバ装置１４１装置のハードウェア構成の一例を示す図である。
管理サーバ装置１４１は、ＣＰＵ６０１、ＲＯＭ６０２、ＲＡＭ６０３、キーボードコントローラ（ＫＢＣ）６０５、ＣＲＴコントローラ（ＣＲＴＣ）６０６、ディスクコントローラ（ＤＫＣ）６０７、ネットワークインターフェースカード（ＮＩＣ）６０８、ハードディスク（ＨＤ）６１１を含む。ＣＰＵ６０１、ＲＯＭ６０２、ＲＡＭ６０３、ＫＢＣ６０５、ＣＲＴＣ６０６、ＤＫＣ６０７、ＮＩＣ６０８は、システムバス６０４を介して互いに通信可能に接続されている。そして、ＮＩＣ６０８は、ネットワーク１５０と接続されている。
ＣＰＵ６０１は、管理サーバ装置１４１の処理を制御する中央演算装置である。ＲＯＭ６０２は、プログラムや各種設定データ等を記憶する記憶装置である。ＲＡＭ６０３は、ＣＰＵ６０１のワークエリアや、データの一時的な格納を行うための記憶装置である。ＫＢＣ６０５は、キーボード（ＫＢ）６０９やマウス等の入力装置からの入力を受け付ける際に利用されるコントローラである。ＣＲＴＣ６０６は、ＣＲＴ６１０等の表示装置に対して、表示データを出力する際に利用されるコントローラである。ＤＫＣ６０７は、ＨＤ６１１、ＦＤ６１２に対するデータの書き込み・読み込みに利用されるコントローラである。ＮＩＣ６０８は、ネットワーク１５０への接続に利用されるインターフェースカードである。ＣＰＵ６０１は、ＮＩＣ６０８及びネットワーク１５０を介して、商品提供機関装置１１１、資産管理機関装置１２１、加入者装置１３１等と通信する。ＨＤ６１１は、各種プログラム、設定データ、編集ファイル、ユーザファイル等を記憶するハードディスクである。ＦＤ６１２は、各種プログラム、設定データ、編集ファイル、ユーザファイル等を記憶するフレキシブルディスクである。本実施形態では、ＤＢ１４７は、ＨＤ６１１に実装されているとする。
ＣＰＵ６０１が、ＲＯＭ６０２、ＨＤ６１１等に記憶されたプログラムを実行することで、図５で説明した管理サーバ装置１４１の機能、図７、９で後述するシーケンス図における管理サーバ装置１４１の処理、図１２、１５で後述するフローチャートの処理等が実現される。
【００１９】
本実施形態では、商品提供機関装置１１１のそれぞれは、図６と同様のハードウェア構成を有する。また、資産管理機関装置１２１のそれぞれも、図６と同様のハードウェア構成を有する。また、加入者装置１３１のそれぞれも、図６と同様のハードウェア構成を有する。
商品提供機関装置１１１のＣＰＵが、商品提供機関装置１１１のＲＯＭ、ＨＤ等に記憶されたプログラムを実行することで、商品提供機関装置１１１の機能、図７、９で後述するシーケンス図における商品提供機関装置１１１の処理等が実現される。
資産管理機関装置１２１のＣＰＵが、資産管理機関装置１２１のＲＯＭ、ＨＤ等に記憶されたプログラムを実行することで、資産管理機関装置１２１の機能、図７、９で後述するシーケンス図における資産管理機関装置１２１の処理等が実現される。
加入者装置１３１のＣＰＵが、加入者装置１３１のＲＯＭ、ＨＤ等に記憶されたプログラムを実行することで、加入者装置１３１の機能、図７、９で後述するシーケンス図における加入者装置１３１の処理等が実現される。
【００２０】
（商品預け替え取引の際の運用支援システムの処理）
図７は、従来の商品預け替え取引の際の運用支援システムの処理の一例を示すシーケンス図である。本実施形態では、企業１３０（Ｘ）に属する加入者Ａが商品預け替え取引申込を行う場合について、説明する。加入者装置１３１（Ｘ）は、企業１３０（Ｘ）に属する加入者Ａが保有する加入者装置である。本実施形態では、加入者Ａが加入者装置１３１（Ｘ）を操作して、商品預け替え取引申込を行うこととする。資産管理機関１２０（Ｘ）は、加入者Ａが保有する商品を管理している資産管理機関である。資産管理機関装置１２１（Ｘ）は、資産管理機関１２０（Ｘ）に属する資産管理機関装置である。
Ｓ７０１において、加入者装置１３１（Ｘ）のＣＰＵは、ネットワーク１５０を介して、管理サーバ装置１４１に対して、商品預け替え取引申込要求を行う。例えば、加入者装置１３１（Ｘ）のＣＰＵは、加入者装置１３１（Ｘ）のキーボードやマウス等の入力装置を介した加入者Ａによる操作に基づいて、ブラウザ等を介して管理サーバ装置１４１が提供するＷｅｂサイト等にアクセスすることで、管理サーバ装置１４１に対して、商品預け替え取引申込要求行う。その際、ＣＰＵ６０１は、ログインＩＤやパスワードを要求することで、アクセスしてきたユーザが誰であるかの情報を取得することとしてもよい。
【００２１】
Ｓ７０２において、ＣＰＵ６０１は、Ｓ７０１で受付けた商品預け替え取引申込要求に応じて、商品預け替え取引申込画面を加入者装置１３１（Ｘ）の表示部に表示させるよう制御する。例えば、ＣＰＵ６０１は、商品預け替え取引申込画面の情報と、商品預け替え取引申込画面を表示するよう指示する情報と、を加入者装置１３１（Ｘ）に送信する。加入者装置１３１（Ｘ）のＣＰＵは、送信された情報を受信すると、商品預け替え取引申込画面を加入者装置１３１（Ｘ）の表示部に表示する。商品預け替え取引申込画面、及び、商品預け替え取引申込画面を介した入力処理の詳細については、図８Ａ〜Ｅで後述する。
Ｓ７０３において、加入者装置１３１（Ｘ）のＣＰＵは、加入者装置１３１（Ｘ）の表示部に表示した商品預け替え取引申込画面を介した加入者Ａの操作に基づいて、商品預け替え取引申込のための情報の入力を受け付ける。加入者装置１３１（Ｘ）のＣＰＵは、商品預け替え取引申込のための情報として、例えば、売却商品の情報、商品を売却する数量の情報、購入する商品の情報の入力を受け付ける。
Ｓ７０４において、加入者装置１３１（Ｘ）のＣＰＵは、Ｓ７０３で受付けた商品預け替え取引申込に要する情報を、管理サーバ装置１４１に送信し、商品預け替え取引申込を行う。
【００２２】
図８Ａ〜Ｅは、商品預け替え取引申込画面の一例を示す図である。図８Ａ〜Ｅを用いて、Ｓ７０３での商品預け替え取引申込画面への商品預け替え取引申込のための情報の入力受付処理、及びＳ７０４での商品預け替え取引申込処理について説明する。
本実施形態では、商品預け替え取引申込画面は、売却商品の選択に利用される売却商品選択画面８１０、購入する商品の選択に利用される購入商品選択画面８２０、売却商品の数量の指定に利用される売却数量指定画面８３０を含む。また、商品預け替え取引申込画面は、申込む商品預け替え取引の内容の確認に利用される申込確認画面８４０、商品預け替え取引申込の完了の確認に利用される申込完了画面８５０を含む。図８Ａは、売却商品選択画面８１０の一例を示す図である。図８Ｂは、購入商品選択画面８２０の一例を示す図である。図８Ｃは、売却数量指定画面８３０の一例を示す図である。図８Ｄは、申込確認画面８４０の一例を示す図である。図８Ｅは、申込完了画面８５０の一例を示す図である。本実施形態では、管理サーバ装置１４１は、Ｓ７０２で、図８Ａ〜Ｅに示される商品預け替え取引申込画面の情報を加入者装置１３１（Ｘ）に送信することとする。
加入者装置１３１（Ｘ）のＣＰＵは、管理サーバ装置１４１から商品預け替え取引申込画面の情報を受信したら、売却商品選択画面８１０を加入者装置１３１（Ｘ）の表示部に表示する。売却商品選択画面８１０は、売却可能な商品の選択欄８１１を含む。選択欄８１１は、加入者Ａが保有する商品のうち売却可能な商品の商品番号、商品名、残高、売却約定日のスケジュールの情報を含む。加入者装置１３１（Ｘ）のＣＰＵは、加入者装置１３１（Ｘ）に接続されているキーボードやマウス等の入力装置を介した加入者Ａの操作に基づいて、選択欄８１１に表示されている商品の中から売却商品の選択を受け付ける。例えば、加入者Ａがマウスを介して、商品番号００２の商品名をクリックすると、加入者装置１３１（Ｘ）のＣＰＵは、商品番号００２の商品を、売却商品として選択する。
【００２３】
加入者装置１３１（Ｘ）のＣＰＵは、売却商品選択画面８１０を介して、売却商品の選択を受付けたら、加入者装置１３１（Ｘ）の表示部に購入商品選択画面８２０を表示する。購入商品選択画面８２０は、購入可能な商品の選択欄８２１を含む。選択欄８２１は、購入可能な商品の商品番号、商品名、購入約定日のスケジュールの情報を含む。また、選択欄８２１は、購入可能な商品毎にチェックボックスを含む。加入者装置１３１（Ｘ）のＣＰＵは、加入者装置１３１（Ｘ）に接続されているキーボードやマウス等の入力装置を介した加入者Ａの操作に基づいて、選択欄８２１に表示されている商品の中から購入する商品の選択を受け付ける。例えば、加入者Ａがマウスを介して、商品番号００１の商品に対応するチェックボックスにチェックを入れると、加入者装置１３１（Ｘ）のＣＰＵは、商品番号００１の商品を、購入する商品として選択する。加入者Ａは、選択欄８２１に表示されている商品のうち、複数の商品を購入する商品として選択することができる。その場合、加入者Ａは、選択欄８２１内の複数の商品のチェックボックスにチェックを入れることになる。加入者Ａは、選択欄８２１のチェックボックスのうち、購入する商品のチェックボックスにチェックを入れたら、「売却数量指定に進む」ボタンを選択する。
【００２４】
加入者装置１３１（Ｘ）のＣＰＵは、購入商品選択画面８２０を介して、「売却数量指定に進む」ボタンの選択を検知したら、選択欄８２１のチェックボックスにチェックのある商品を、購入する商品として決定し、加入者装置１３１（Ｘ）の表示部に売却数量指定画面８３０を表示する。売却数量指定画面８３０は、商品の売却数量の指定欄８３１を含む。指定欄８３１は、売却商品選択画面８１０で選択された売却商品の商品番号、商品名、残高、売却数量指定欄を含む。加入者装置１３１（Ｘ）のＣＰＵは、加入者装置１３１（Ｘ）に接続されているキーボードやマウス等の入力装置を介した加入者Ａの操作に基づいて、指定欄８３１の売却数量指定欄に対して、売却商品の数量の入力を受け付ける。例えば、加入者Ａがキーボードを介して、指定欄８３１の「全部」チェックボックスにチェックを入れると、加入者装置１３１（Ｘ）のＣＰＵは、売却商品の残高の全てを、売却商品の数量の指定として、受け付ける。また、例えば、加入者Ａがキーボードを介して、「一部」チェックボックスにチェックを入れ、指定欄８３１の売却数量指定欄に商品を売却する数量（例えば、１００、０００口等）を入力する。加入者装置１３１（Ｘ）のＣＰＵは、指定欄８３１の売却数量指定欄に入力された数量を、売却商品の数量の指定として、受け付ける。
また、売却数量指定画面は、購入する商品として複数の商品が指定された場合、それぞれの商品の購入する割合の指定を受け付けるための指定欄８３２を含む。指定欄８３２は、購入商品選択画面８２０で選択された商品毎の商品番号、商品名、割合指定欄を含む。加入者装置１３１（Ｘ）のＣＰＵは、加入者装置１３１（Ｘ）に接続されているキーボードやマウス等の入力装置を介した加入者Ａの操作に基づいて、指定欄８３２の割合指定欄に対して、購入する商品それぞれについて、売却で得ることができる金額の何パーセントの額で購入するかの入力、又は、売却で得ることができる金額のうちどれだけの数量の額で購入するかの入力を受け付ける。例えば、加入者Ａがキーボードを介して、指定欄８３２の商品番号００１の割合指定欄に１０％と入力すると、加入者装置１３１（Ｘ）のＣＰＵは、売却で得られた額の１０％の額で、商品番号００１を購入することを決定する。
加入者Ａは、指定欄８３１、指定欄８３２への入力を終えたら、「申込内容確認に進む」ボタンを選択する。
【００２５】
加入者装置１３１（Ｘ）のＣＰＵは、売却数量指定画面８３０を介して、「申込内容確認に進む」ボタンの選択を検知したら、指定欄８３１に入力された数量を売却商品の売却数量として決定し、加入者装置１３１（Ｘ）の表示部に申込確認画面８４０を表示する。申込確認画面８４０は、申込内容の表示欄８４１を含む。表示欄８４１は、申込む商品預け替え取引において売却商品の商品番号、商品名、売却数量、発注日、約定日等の情報を含む。また、表示欄８４１は、申込む商品預け替え取引において購入する商品の商品番号、商品名、発注日、約定日等の情報を含む。表示欄８４１に表示される情報は、売却商品選択画面８１０、購入商品選択画面８２０、売却数量指定画面８３０のそれぞれを介して入力された情報である。
【００２６】
加入者Ａは、表示欄８４１の内容を確認して、「申込」ボタンを選択する。加入者装置１３１（Ｘ）のＣＰＵは、申込確認画面８４０を介して、「申込」ボタンの選択を検知したら、売却商品選択画面８１０を介して選択された売却商品の情報、購入商品選択画面８２０を介して選択された購入する商品の情報、及び、売却数量指定画面８３０を介して指定された売却商品の数量の情報を管理サーバ装置１４１に対して送信することで、管理サーバ装置１４１に対して商品預け替え取引申込を行う。加入者装置１３１（Ｘ）のＣＰＵは、購入商品選択画面８２０で複数の商品が選択され、指定欄８３２に購入する商品毎の購入の割合が入力された場合、商品預け替え取引申込を行う際に、売却商品の情報、購入する商品の情報、売却商品の数量の情報と併せて、指定欄８３２に入力された情報を管理サーバ装置１４１に送信してもよい。
加入者装置１３１（Ｘ）のＣＰＵは、申込確認画面８４０を介して、「申込」ボタンの選択を検知したら、申込完了画面８５０を表示する。申込完了画面８５０は、申込んだ商品預け替え取引の内容の表示欄８５１を含む。表示欄８５１に含まれる情報は、表示欄８４１に含まれる情報と同様である。加入者Ａは、表示欄８５１を確認することで、申込んだ商品預け替え取引の内容を確認できる。
【００２７】
本実施形態では、ＣＰＵ６０１は、Ｓ７０２で、商品預け替え取引申込画面の全ての画面の情報を加入者装置１３１（Ｘ）に送信し、商品預け替え取引申込画面を加入者装置１３１（Ｘ）の表示部に表示させることとした。加入者装置１３１（Ｘ）のＣＰＵは、送信された商品預け替え取引申込画面の情報に基づいて、まず、売却商品選択画面８１０を表示し、入力を受付け、次に、購入商品選択画面８２０を表示し、入力を受付ける。そして、加入者装置１３１（Ｘ）のＣＰＵは、売却数量指定画面８３０を表示し、入力を受付け、申込確認画面８４０を表示し、申込の入力を受付ける。そして、加入者装置１３１（Ｘ）のＣＰＵは、売却商品選択画面８１０、購入商品選択画面８２０、売却数量指定画面８３０を介して受け付けた情報を、管理サーバ装置１４１に送信することとした。
しかし、ＣＰＵ６０１及び加入者装置１３１（Ｘ）のＣＰＵは、以下のようにして、商品預け替え取引申込画面の表示、及び商品預け替え取引申込画面を介して入力された情報の送信を行うこともできる。
即ち、ＣＰＵ６０１は、まず、売却商品選択画面８１０の情報のみを加入者装置１３１（Ｘ）に送信し、加入者装置１３１（Ｘ）の表示部に売却商品選択画面８１０を表示させるよう制御する。そして、加入者装置１３１（Ｘ）のＣＰＵは、売却商品選択画面８１０を介したユーザの入力を受付け、受け付けた売却商品の情報を、管理サーバ装置１４１に送信する。ＣＰＵ６０１は、加入者装置１３１（Ｘ）から売却商品の情報を受信したら、購入商品選択画面８２０の情報を加入者装置１３１（Ｘ）に送信し、加入者装置１３１（Ｘ）の表示部に購入商品選択画面８２０を表示させるよう制御する。そして、加入者装置１３１（Ｘ）のＣＰＵは、購入商品選択画面８２０を介したユーザの入力を受付け、「売却数量指定に進む」ボタンの選択を検知したら、受け付けた購入商品の情報を、管理サーバ装置１４１に送信する。
ＣＰＵ６０１は、加入者装置１３１（Ｘ）から購入商品の情報を受信したら、売却数量指定画面８３０の情報を加入者装置１３１（Ｘ）に送信し、加入者装置１３１（Ｘ）の表示部に売却数量指定画面８３０を表示させるよう制御する。そして、加入者装置１３１（Ｘ）のＣＰＵは、売却数量指定画面８３０を介したユーザの入力を受付け、「申込内容確認に進む」ボタンの選択を検知したら、受け付けた売却商品の数量の情報を、管理サーバ装置１４１に送信する。ＣＰＵ６０１は、加入者装置１３１（Ｘ）から売却商品の数量の情報を受信したら、申込確認画面８４０の情報を加入者装置１３１（Ｘ）に送信し、加入者装置１３１（Ｘ）の表示部に申込確認画面８４０を表示させるよう制御する。そして、加入者装置１３１（Ｘ）のＣＰＵは、「申込」ボタンの選択を検知したら、商品預け替え取引の注文を確定する指示を、管理サーバ装置１４１に送信する。ＣＰＵ６０１は、加入者装置１３１（Ｘ）から商品預け替え取引の注文を確定する指示を受信したら、これまでに受信した売却商品の情報、購入商品の情報、売却商品の数量の情報で示される商品預け替え取引の注文を確定させ、申込完了画面８５０の情報を加入者装置１３１（Ｘ）に送信し、申込完了画面８５０を表示させるよう制御する。加入者装置１３１（Ｘ）のＣＰＵは、表示部に申込完了画面８５０を表示させ、ユーザに申込完了を通知する。
運用支援システム１００は、Ｓ７０２〜Ｓ７０４の処理の代わりに、以上のような処理を行うこととしてもよい。
【００２８】
Ｓ７０５において、ＣＰＵ６０１は、Ｓ７０４で加入者装置１３１（Ｘ）から受付けた商品預け替え取引申込に応じて、申込まれた商品預け替え取引における商品の売却に関する商品の運用指示を資産管理機関装置１２１（Ｘ）に対して送信する。例えば、ＣＰＵ６０１は、Ｓ７０４で加入者装置１３１（Ｘ）から送信された売却商品の情報と、売却商品の数量の情報と、加入者Ａの情報と、を資産管理機関装置１２１（Ｘ）に対して送信することで、送信した売却商品の情報に対応する商品を、送信した売却商品の数量の情報に対応する数量だけ売却する運用を行うことを資産管理機関装置１２１（Ｘ）に対して通知する。
本実施形態では、ＣＰＵ６０１は、加入者装置１３１から送信されたスイッチング申込の情報（売却商品の情報、売却商品の数量の情報等）を、企業単位でとりまとめて、資産管理機関装置１２１（Ｘ）に対して送信する。即ち、ＣＰＵ６０１は、同じ企業に属する加入者それぞれからのスイッチング申込の情報を、とりまとめて、資産管理機関装置１２１（Ｘ）に対して送信する。また、ＣＰＵ６０１は、加入者装置１３１から送信されたスイッチング申込の情報（売却商品の情報、売却商品の数量の情報等）を、その他運営管理機関所定の処理単位でとりまとめて、資産管理機関装置１２１（Ｘ）に対して送信することとしてもよい。
Ｓ７０６において、ＣＰＵ６０１は、Ｓ７０４で加入者装置１３１（Ｘ）から受付けた商品預け替え取引申込に応じて、申込まれた商品預け替え取引における商品の売却に関する商品の運用指示を商品提供機関装置１１１（Ｘ）に対して送信する。例えば、ＣＰＵ６０１は、Ｓ７０４で加入者装置１３１（Ｘ）から送信された売却商品の情報と、売却商品の数量の情報と、加入者Ａの情報と、を商品提供機関装置１１１（Ｘ）に対して送信することで、送信した売却商品の情報に対応する商品を、送信した売却商品の数量の情報に対応する数量だけ売却する運用を行うよう商品提供機関装置１１１（Ｘ）に対して指示する。
【００２９】
商品提供機関装置１１１（Ｘ）のＣＰＵは、管理サーバ装置１４１から商品を売却する運用の指示を受信すると、商品の売却の約定の際に行うよう設定されている処理を実行する。例えば、商品提供機関装置１１１（Ｘ）のＣＰＵは、商品の売却の約定がなされた場合、管理サーバ装置１４１から受信した売却商品の情報、売却商品の数量の情報、及び、加入者Ａの情報を、約定された取引の情報として商品提供機関装置１１１（Ｘ）のＨＤ等に記憶する。
Ｓ７０５の処理とＳ７０６の処理とは、実行の順序を問わない。本実施形態では、ＣＰＵ６０１は、Ｓ７０５の処理の後にＳ７０６の処理を行うこととしたが、Ｓ７０６の処理の後にＳ７０５の処理を行ってもよい。
【００３０】
Ｓ７０７において、商品提供機関装置１１１（Ｘ）のＣＰＵは、Ｓ７０６で指示された売却取引が約定されたことを示す情報を、資産管理機関装置１２１（Ｘ）に送信する。本実施形態では、商品提供機関装置１１１（Ｘ）のＣＰＵは、Ｓ７０６で指示された売却取引が約定されたことを示す情報と併せて、加入者Ａが売却で得ることになる金額の情報を、資産管理機関装置１２１（Ｘ）に送信する。商品提供機関１１０（Ｘ）は、約定された売却取引の受け渡しの際に、売却金額を資産管理機関１２０（Ｘ）に渡すことになる。
Ｓ７０８において、商品提供機関装置１１１（Ｘ）のＣＰＵは、Ｓ７０６で指示された売却取引が約定されたことを示す情報を、管理サーバ装置１４１に送信する。本実施形態では、商品提供機関装置１１１（Ｘ）のＣＰＵは、Ｓ７０６で指示された売却取引が約定されたことを示す情報と併せて、加入者Ａが売却で得ることになる金額の情報を、管理サーバ装置１４１に送信する。ＣＰＵ６０１は、加入者Ａが売却で得ることになる金額の情報を、商品提供機関装置１１１（Ｘ）から受信するが、商品預け替え取引申込が行われた際に、売却商品の単価の情報と、商品預け替え取引申込の際に送信された売却数量の情報と、に基づいて算出してもよい。
Ｓ７０７の処理とＳ７０８の処理とは、実行の順序を問わない。本実施形態では、商品提供機関装置１１１（Ｘ）のＣＰＵは、Ｓ７０７の処理の後にＳ７０８の処理を行うこととしたが、Ｓ７０８の処理の後にＳ７０７の処理を行ってもよい。
【００３１】
Ｓ７０９において、ＣＰＵ６０１は、Ｓ７０８で商品提供機関装置１１１（Ｘ）から売却の約定がなされたことを示す情報を受信すると、Ｓ７０４で申込まれた商品預け替え取引における商品の購入に関する運用指示を資産管理機関装置１２１（Ｘ）に対して送信する。例えば、ＣＰＵ６０１は、Ｓ７０４で加入者装置１３１（Ｘ）から送信された購入する商品の情報と、Ｓ７０８で受信した加入者Ａが売却で得た金額の情報と、加入者Ａの情報と、を資産管理機関装置１２１（Ｘ）に対して送信することで、送信した購入する商品の情報に対応する商品を、送信した加入者Ａが売却で得た金額の情報に対応する金額分購入する運用を行うことを通知する。
Ｓ７１０において、ＣＰＵ６０１は、Ｓ７０８で商品提供機関装置１１１（Ｘ）から売却の約定がなされたことを示す情報を受信すると、Ｓ７０４で申込まれた商品預け替え取引における商品の購入に関する運用指示を商品提供機関装置１１１（Ｘ＋ｎ）に対して送信する。例えば、ＣＰＵ６０１は、Ｓ７０４で加入者装置１３１（Ｘ）から送信された購入する商品の情報と、Ｓ７０８で受信した加入者Ａが売却で得た金額の情報と、加入者Ａの情報と、を資産管理機関装置１２１（Ｘ）に対して送信することで、送信した購入する商品の情報に対応する商品を、送信した加入者Ａが売却で得た金額の情報に対応する金額分、購入する運用を行うよう指示する。
【００３２】
商品提供機関装置１１１（Ｘ＋ｎ）のＣＰＵは、管理サーバ装置１４１から商品を購入する運用の指示を受信すると、商品の購入の約定の際に行うよう設定されている処理を実行する。例えば、商品提供機関装置１１１（Ｘ）のＣＰＵは、商品の購入の約定がなされた場合、管理サーバ装置１４１から受信した購入する商品の情報、加入者Ａが商品の売却で得た金額の情報、及び、加入者Ａの情報を、約定された取引の情報として商品提供機関装置１１１（Ｘ）のＨＤ等に記憶する処理を行う。
Ｓ７０９の処理とＳ７１０の処理とは、実行の順序を問わない。本実施形態では、ＣＰＵ６０１は、Ｓ７０９の処理の後にＳ７１０の処理を行うこととしたが、Ｓ７１０の処理の後にＳ７０９の処理を行ってもよい。
【００３３】
Ｓ７１１において、商品提供機関装置１１１（Ｘ＋ｎ）のＣＰＵは、Ｓ７１０で指示された購入の取引が約定されたことを示す情報を、資産管理機関装置１２１（Ｘ）に送信する。資産管理機関１２０（Ｘ）は、約定された購入の取引の受け渡しの際に、購入金額を商品提供機関１１０（Ｘ＋ｎ）に渡すことになる。
Ｓ７１２において、商品提供機関装置１１１（Ｘ＋ｎ）のＣＰＵは、Ｓ７１０で指示された購入取引が約定されたことを示す情報を、管理サーバ装置１４１に送信する。
Ｓ７１１の処理とＳ７１２の処理とは、実行の順序を問わない。本実施形態では、商品提供機関装置１１１（Ｘ＋ｎ）のＣＰＵは、Ｓ７１１の処理の後にＳ７１２の処理を行うこととしたが、Ｓ７１２の処理の後にＳ７１１の処理を行ってもよい。
Ｓ７１３において、ＣＰＵ６０１は、Ｓ７１２で購入取引の約定がなされたことを示す情報が通知された場合、Ｓ７０４で申し込まれた商品預け替え取引が完了したことを示す情報を、加入者装置１３１（Ｘ）に送信する。
本実施形態では、ＣＰＵ６０１は、商品預け替え取引が完了した場合に、Ｓ７１３で、商品預け替え取引の完了を示す情報を加入者装置１３１（Ｘ）に送信することとした。しかし、ＣＰＵ６０１は、商品預け替え取引の売却取引が完了した場合に、Ｓ７０８で、売却取引の完了を示す情報を、加入者装置１３１（Ｘ）に送信し、商品預け替え取引の購入取引が完了した場合に、Ｓ７１３で、購入取引の完了を示す情報を、加入者装置１３１（Ｘ）に送信することとしてもよい。
【００３４】
（購入商品の変更処理）
図９は、商品預け替え取引における購入商品の変更の際の運用支援システム１００の処理の一例を示すシーケンス図である。図９では、図７と同様に企業１３０（Ｘ）に属する加入者Ａが商品預け替え取引申込を行う場合について説明する。加入者Ａは、保有する商品提供機関１１０（Ｘ）が提供する商品を売却し、商品提供機関１１０（Ｘ＋ｎ）が提供する商品を購入する商品預け替え取引を申込んだものとする。そして、加入者Ａは、商品預け替え取引を申し込んだ後に、購入商品を、商品提供機関１１０（Ｘ＋ｎ）が提供する商品から商品提供機関１１０（Ｘ＋ｍ）が提供する商品に変更する。商品提供機関装置１１１（Ｘ＋ｍ）は、商品提供機関１１０（Ｘ＋ｍ）に属する商品提供機関装置である。図９の処理の前に、加入者装置１３１（Ｘ）及び管理サーバ装置１４１は、図７のＳ７０１〜Ｓ７０４の処理を行い、商品預け替え取引申込が既に行われているとする。
Ｓ９０１において、加入者装置１３１（Ｘ）のＣＰＵは、ネットワーク１５０を介して、管理サーバ装置１４１に対して、Ｓ７０４で申し込んだ商品預け替え取引における購入商品の変更要求を行う。例えば、加入者装置１３１（Ｘ）のＣＰＵは、加入者装置１３１（Ｘ）のキーボードやマウス等の入力装置を介した加入者Ａによる操作に基づいて、ブラウザ等を介して管理サーバ装置１４１が提供するＷｅｂサイト等にアクセスすることで、管理サーバ装置１４１に対して、購入商品の変更要求を行う。その際、ＣＰＵ６０１は、ログインＩＤやパスワードを要求することで、アクセスしてきたユーザが誰であるかの情報を取得することとしてもよい。
【００３５】
Ｓ９０２において、ＣＰＵ６０１は、Ｓ９０１で受付けた購入商品の変更要求に応じて、購入商品の変更に利用される購入商品変更画面を加入者装置１３１（Ｘ）の表示部に表示させるよう制御する。例えば、ＣＰＵ６０１は、購入商品変更画面の情報と、購入商品変更画面を表示するよう指示する情報と、を加入者装置１３１（Ｘ）に送信する。加入者装置１３１（Ｘ）のＣＰＵは、送信された情報を受信すると、購入商品変更画面を加入者装置１３１（Ｘ）の表示部に表示する。購入商品変更画面の詳細については、図１０で後述する。
Ｓ９０３において、加入者装置１３１（Ｘ）のＣＰＵは、加入者装置１３１（Ｘ）の表示部に表示した購入商品変更画面を介した加入者Ａの操作に基づいて、購入商品の変更に要する情報の入力を受け付ける。本実施形態では、加入者装置１３１（Ｘ）のＣＰＵは、購入商品の変更に要する情報として、例えば、購入商品の変更を行う商品預け替え取引の情報、及び加入者Ａが新たに購入することとした商品の情報の入力を受け付ける。
Ｓ９０４において、加入者装置１３１（Ｘ）のＣＰＵは、Ｓ９０３で入力を受付けた情報を、管理サーバ装置１４１に送信し、購入商品の変更の指示を行う。本実施形態では、加入者装置１３１（Ｘ）のＣＰＵは、Ｓ９０３で受付けた購入商品の変更を行う商品預け替え取引の情報（例えば、商品預け替え取引の受付番号の情報）、及び変更後の購入商品の情報を、管理サーバ装置１４１に送信する。Ｓ９０４で行われる指示は、購入商品変更指示の一例である。
【００３６】
図１０Ａ〜Ｄは、購入商品変更画面の一例を示す図である。図１０Ａ〜Ｄを用いて、Ｓ９０３での購入商品変更画面への購入商品の変更に要する情報の入力受付処理、及びＳ９０４での購入商品の変更の指示を行う処理について説明する。
本実施形態では、購入商品変更画面は、購入する商品の変更を行う取引の選択に利用される取引選択画面１０１０、購入する商品の選択に利用される購入商品選択画面１０２０、購入商品の変更の指示の内容の確認に利用される指示内容確認画面１０３０、購入商品の変更の指示の完了の確認に利用される指示完了画面１０４０を含む。図１０Ａは、取引選択画面１０１０の一例を示す図である。図１０Ｂは、購入商品選択画面１０２０の一例を示す図である。図１０Ｃは、指示内容確認画面１０３０の一例を示す図である。図１０Ｄは、指示完了画面１０４０の一例を示す図である。本実施形態では、管理サーバ装置１４１は、Ｓ９０２で、図１０Ａ〜Ｄに示される購入商品変更画面の情報を加入者装置１３１（Ｘ）に送信することとする。
【００３７】
加入者装置１３１（Ｘ）のＣＰＵは、管理サーバ装置１４１から購入商品変更画面の情報を受信したら、取引選択画面１０１０を加入者装置１３１（Ｘ）の表示部に表示する。取引選択画面１０１０は、購入商品の変更を行う商品預け替え取引の選択に利用される選択欄１０１１を含む。選択欄１０１１は、加入者Ａにより既に申込済みの商品預け替え取引に関する情報を含む表を、申込済みの商品預け替え取引の数だけ含む。選択欄１０１１に含まれる商品預け替え取引に関する情報を含む表のそれぞれは、商品預け替え取引申込時点、受付番号、売却商品及び購入商品の商品名・約定単価・約定数量、売却及び購入の発注日・約定日の情報を含む。また、選択欄１０１１に含まれる商品預け替え取引に関する情報を含む表のそれぞれは、購入商品の変更を行うか否かの選択に利用される購入商品変更ラジオボタンを含む。
加入者装置１３１（Ｘ）のＣＰＵは、加入者装置１３１（Ｘ）に接続されているキーボードやマウス等の入力装置を介した加入者Ａの操作に基づいて、選択欄１０１１に表示されている商品預け替え取引の中から購入する商品を変更する商品預け替え取引の選択を受け付ける。例えば、加入者Ａがマウスを介して、Ｎｏ０００１の商品預け替え取引に対応する購入商品変更ラジオボタンにチェックを入れると、加入者装置１３１（Ｘ）のＣＰＵは、Ｎｏ０００１の商品預け替え取引を、購入する商品を変更する商品預け替え取引として選択する。なお、加入者装置１３１（Ｘ）のＣＰＵは、選択欄１０１１に表示されている商品預け替え取引の中から購入する商品を変更する商品預け替え取引の複数個の選択を受け付けることもできる。その場合、加入者Ａは、選択欄１０１１に表示されている商品預け替え取引の中の複数について、購入商品変更ラジオボタンにチェックを入れればよい。加入者Ａは、選択欄１０１１の購入する商品を変更する商品預け替え取引に対応する購入商品変更ラジオボタンにチェックを入れたら、「購入商品変更に進む」ボタンを選択する。
【００３８】
加入者装置１３１（Ｘ）のＣＰＵは、取引選択画面１０１０を介して、「購入商品変更に進む」ボタンの選択を検知したら、加入者装置１３１（Ｘ）の表示部に購入商品選択画面１０２０を表示する。購入商品選択画面１０２０は、新たに購入可能な商品の選択に利用される選択欄１０２１を含む。選択欄１０２１は、購入可能な商品の商品番号、商品名、購入約定日のスケジュールの情報を含む。また、選択欄１０２１は、商品毎に選択ラジオボタンを含む。
加入者装置１３１（Ｘ）のＣＰＵは、加入者装置１３１（Ｘ）に接続されているキーボードやマウス等の入力装置を介した加入者Ａの操作に基づいて、選択欄１０２１に表示されている商品の中から新たに購入する商品の選択を受け付ける。例えば、加入者Ａがマウスを介して、商品番号００２の商品に対応する選択ラジオボタンにチェックを入れると、加入者装置１３１（Ｘ）のＣＰＵは、商品番号００２の商品を、新たに購入する商品として選択する。
本実施形態では、加入者装置１３１（Ｘ）のＣＰＵは、変更後の購入商品として１つの商品のみ選択できることとしたが、複数選択できるようにしてもよい。例えば、選択欄１０２１は、商品毎に選択ラジオボタンでなく、選択欄８２１と同様に選択チェックボタンを含むこととする。これにより、加入者Ａは、選択欄１０２１に表示されている商品のうち、複数の商品に対応する選択チェックボックスにチェックを入れることができる。加入者装置１３１（Ｘ）のＣＰＵは、選択チェックボックスにチェックが入っている商品を、新たに購入する商品として選択する。また、選択欄１０２１は、指定欄８３１と同様に、売却額のうち何パーセントの額で、その商品を購入するかを指定するための割合指定欄を含むこととしてもよい。変更後の購入商品を複数選択できるようにすることで、加入者Ａは、より柔軟な資産の運用ができるようになる。
加入者Ａは、選択欄１０２１の選択ラジオボタンのうち、購入する商品の選択ラジオボタンにチェックを入れたら、「変更内容確認に進む」ボタンを選択する。
【００３９】
加入者装置１３１（Ｘ）のＣＰＵは、購入商品選択画面１０２０を介して、「変更内容確認に進む」ボタンの選択を検知したら、選択欄１０２１の選択ラジオボタンにチェックのある商品を、新たに購入する商品として決定し、加入者装置１３１（Ｘ）の表示部に指示内容確認画面１０３０を表示する。指示内容確認画面１０３０は、購入商品の変更の指示の内容の表示欄１０３１を含む。表示欄１０３１は、購入商品を変更した後の商品預け替え取引における売却商品の商品番号、商品名、売却数量、発注日、約定日等の情報を含む。また、表示欄１０３１は、購入商品を変更した後の商品預け替え取引における購入する商品の商品番号、商品名、発注日、約定日等の情報を含む。表示欄１０３１に示される購入商品についての情報は、取引選択画面１０１０、購入商品選択画面１０２０のそれぞれを介して入力された情報である。加入者Ａは、表示欄１０３１の内容を確認して、「変更」ボタンを選択する。
加入者装置１３１（Ｘ）のＣＰＵは、指示内容確認画面１０３０を介して、「変更」ボタンの選択を検知したら、取引選択画面１０１０を介して選択された商品預け替え取引の情報と、購入商品選択画面１０２０を介して選択された変更後の購入商品の情報と、を管理サーバ装置１４１に対して送信することで、管理サーバ装置１４１に対して購入商品の変更の指示を行う。例えば、加入者装置１３１（Ｘ）のＣＰＵは、取引選択画面１０１０を介して選択された商品預け替え取引の受付番号の情報と、購入商品選択画面１０２０を介して選択された変更後の購入商品の情報と、を管理サーバ装置１４１に対して送信する。加入者装置１３１（Ｘ）のＣＰＵは、購入商品選択画面１０２０で複数の商品が選択され、商品毎の購入の割合が入力された場合、購入商品の変更の指示を行う際に、購入商品の変更を行う商品預け替え取引の情報及び購入する商品の情報と併せて、購入商品選択画面１０２０で入力された購入商品毎の購入の割合の情報を管理サーバ装置１４１に送信してもよい。
加入者装置１３１（Ｘ）のＣＰＵは、指示内容確認画面１０３０を介して、「変更」ボタンの選択を検知したら、指示完了画面１０４０を表示する。指示完了画面１０４０は、指示した購入商品の変更の内容を表示するための表示欄１０４１を含む。表示欄１０４１に含まれる情報は、表示欄１０３１に含まれる情報と同様である。加入者Ａは、表示欄１０４１を目視し、指示した購入商品の変更の内容を確認できる。
【００４０】
本実施形態では、ＣＰＵ６０１は、Ｓ９０２で、購入商品変更画面の全ての画面の情報を加入者装置１３１（Ｘ）に送信し、購入商品変更画面を加入者装置１３１（Ｘ）の表示部に表示させることとした。加入者装置１３１（Ｘ）のＣＰＵは、送信された購入商品変更画面の情報に基づいて、まず、取引選択画面１０１０を表示し、入力を受付け、次に、購入商品選択画面１０２０を表示し、入力を受付ける。そして、加入者装置１３１（Ｘ）のＣＰＵは、指示内容確認画面１０３０を表示し、購入商品変更の申込の入力を受付ける。そして、加入者装置１３１（Ｘ）のＣＰＵは、取引選択画面１０１０、購入商品選択画面１０２０、指示内容確認画面１０３０を介して受け付けた情報を、管理サーバ装置１４１に送信することとした。
しかし、ＣＰＵ６０１及び加入者装置１３１（Ｘ）のＣＰＵは、以下のようにして、購入商品変更画面の表示、及び購入商品変更画面を介して入力された情報の送信を行うこともできる。
即ち、ＣＰＵ６０１は、まず、取引選択画面１０１０の情報のみを加入者装置１３１（Ｘ）に送信し、加入者装置１３１（Ｘ）の表示部に取引選択画面１０１０を表示させるよう制御する。そして、加入者装置１３１（Ｘ）のＣＰＵは、取引選択画面１０１０を介したユーザの入力を受付け、「購入商品変更に進む」ボタンの選択を検知したら、受け付けた購入商品を変更したい取引の情報を、管理サーバ装置１４１に送信する。ＣＰＵ６０１は、加入者装置１３１（Ｘ）から購入商品を変更したい取引の情報を受信したら、購入商品選択画面１０２０の情報を加入者装置１３１（Ｘ）に送信し、加入者装置１３１（Ｘ）の表示部に購入商品選択画面１０２０を表示させるよう制御する。そして、加入者装置１３１（Ｘ）のＣＰＵは、購入商品選択画面１０２０を介したユーザの入力を受付け、「変更内容確認に進む」ボタンの選択を検知したら、受け付けた変更後の購入商品の情報を、管理サーバ装置１４１に送信する。
ＣＰＵ６０１は、加入者装置１３１（Ｘ）から変更後の購入商品の情報を受信したら、指示内容確認画面１０３０の情報を加入者装置１３１（Ｘ）に送信し、加入者装置１３１（Ｘ）の表示部に指示内容確認画面１０３０を表示させるよう制御する。そして、加入者装置１３１（Ｘ）のＣＰＵは、指示内容確認画面１０３０を介して、「変更」ボタンの選択を検知したら、購入商品の変更を確定する指示を、管理サーバ装置１４１に送信する。ＣＰＵ６０１は、加入者装置１３１（Ｘ）から購入商品の変更を確定する指示を受信したら、これまでに受信した購入商品を変更した取引の情報、変更後の購入商品の情報で示される購入商品の変更の指示を確定させ、指示完了画面１０４０の情報を加入者装置１３１（Ｘ）に送信し、指示完了画面１０４０を表示させるよう制御する。加入者装置１３１（Ｘ）のＣＰＵは、表示部に指示完了画面１０４０を表示させ、ユーザに購入商品の変更の指示の完了を通知する。
運用支援システム１００は、Ｓ９０２〜Ｓ９０４の処理の代わりに、以上のような処理を行うこととしてもよい。
【００４１】
本実施形態では、取引選択画面１０１０は、手続選択ラジオボタンを含む。手続選択ラジオボタンは、「申込内容を紹介する」ラジオボタン、「購入商品を変更する」ラジオボタン、「申込を取消す」ラジオボタンを含む。加入者装置１３１（Ｘ）のＣＰＵは、「申込を取消す」ラジオボタンにチェックを入れられると、取引選択画面１０１０を、図１１Ａに示す取引取消画面１１１０に変更させる。取引取消画面１１１０は、取消しを行う商品預け替え取引の選択に利用される選択欄１１１１を含む。選択欄１１１１は、既に申込済みの商品預け替え取引に関する情報を含む表を、申込済みの商品預け替え取引の数だけ含む。選択欄１１１１に含まれる商品預け替え取引に関する情報を含む表のそれぞれは、商品預け替え取引申込時点、受付番号、売却商品及び購入商品の商品名・約定単価・約定数量、売却及び購入の発注日・約定日の情報を含む。また、選択欄１１１１に含まれる商品預け替え取引に関する情報を含む表のそれぞれは、購入商品の取消しを行うか否かの選択に利用される取消チェックボックスを含む。
加入者Ａは、申込んだ商品預け替え取引を取消した意場合、選択欄１１１１内の商品預け替え取引のうち、取消したい商品預け替え取引の取消チェックボックスにチェックを入れて、「取消内容確認に進む」ボタンを選択する。
【００４２】
加入者装置１３１（Ｘ）のＣＰＵは、取引取消画面１１１０を介して、「取消内容確認に進む」ボタンの選択を検知したら、加入者装置１３１（Ｘ）の表示部に、図１１Ｂに示す取消内容確認画面１１２０を表示する。取消内容確認画面１１２０は、取引取消画面１１１０で選択された取消対象の商品預け替え取引を表示する表示欄１１２１を含む。加入者Ａは、表示欄１１２１の内容を確認して、「取消」ボタンを選択する。加入者装置１３１（Ｘ）のＣＰＵは、取消内容確認画面１１２０を介して、「取消」ボタンの選択を検知したら、取引取消画面１１１０で選択された取消対象の商品預け替え取引の情報を、管理サーバ装置１４１に送信する。ＣＰＵ６０１は、取消対象の商品預け替え取引の情報を取消の締切時点（例えば、商品預け替え取引申込直後の午前１０時）までに受信した場合、受信した取消対象の商品預け替え取引の情報に対応する商品預け替え取引の取消の処理を行う。
加入者装置１３１（Ｘ）のＣＰＵは、取消内容確認画面１１２０を介して、「取消」ボタンの選択を検知したら、加入者装置１３１（Ｘ）の表示部に、図１１Ｃに示す取消完了画面１１３０を表示する。加入者Ａは、取消完了画面１１３０を確認し、商品預け替え取引が取り消されたことを確認することができる。
【００４３】
本実施形態では、ＣＰＵ６０１は、Ｓ９０２で、取引取消画面１１１０、取消内容確認画面１１２０、取消完了画面１１３０の全ての画面の情報を加入者装置１３１（Ｘ）に送信し、これらの画面を加入者装置１３１（Ｘ）の表示部に表示させることとした。加入者装置１３１（Ｘ）のＣＰＵは、まず、取引取消画面１１１０を表示し、入力を受付け、取消内容確認画面１１２０を表示し、取引の取消の申込の入力を受付ける。そして、加入者装置１３１（Ｘ）のＣＰＵは、取引取消画面１１１０を介して受け付けた情報を、管理サーバ装置１４１に送信することとした。
しかし、ＣＰＵ６０１及び加入者装置１３１（Ｘ）のＣＰＵは、取引の取消の処理として、以下のような処理を行うこともできる。
即ち、ＣＰＵ６０１は、まず、取引取消画面１１１０の情報のみを加入者装置１３１（Ｘ）に送信し、加入者装置１３１（Ｘ）の表示部に取引取消画面１１１０を表示させるよう制御する。そして、加入者装置１３１（Ｘ）のＣＰＵは、取引取消画面１１１０を介したユーザの入力を受付け、「取消内容確認に進む」ボタンの選択を検知すると、受け付けた取り消したい取引の情報を、管理サーバ装置１４１に送信する。ＣＰＵ６０１は、加入者装置１３１（Ｘ）から取り消したい取引の情報を受信したら、取消内容確認画面１１２０の情報を加入者装置１３１（Ｘ）に送信し、加入者装置１３１（Ｘ）の表示部に取消内容確認画面１１２０を表示させるよう制御する。そして、加入者装置１３１（Ｘ）のＣＰＵは、取消内容確認画面１１２０を介して、「取消」ボタンの選択を検知したら、取引の取消を確定する指示を、管理サーバ装置１４１に送信する。ＣＰＵ６０１は、加入者装置１３１（Ｘ）から取引の取消を確定する指示を受信したら、取引取消画面１１１０を介して入力された取り消したい取引の情報で示される取引の取消の指示を確定させ、取消完了画面１１３０の情報を加入者装置１３１（Ｘ）に送信し、取消完了画面１１３０を表示させるよう制御する。加入者装置１３１（Ｘ）のＣＰＵは、表示部に取消完了画面１１３０を表示させ、ユーザに購入商品の変更の指示の完了を通知する。
運用支援システム１００は、以上のような処理を行うことで、取引の取消の処理を行うこととしてもよい。
【００４４】
本実施形態では、ＣＰＵ６０１は、Ｓ７０４で商品預け替え取引申込を受信した場合、申込まれた商品預け替え取引を一意に特定する受付番号を決定し、購入商品を変更することができる期間の締切の時点である変更締切時点を決定する。変更締切時点の決定方法の詳細については、図１２で後述する。そして、ＣＰＵ６０１は、決定した受付番号、加入者Ａの情報、変更締切時点、商品預け替え取引申込と併せて受信した売却商品の情報、売却商品の売却数量の情報、購入商品の情報を、申込済みの商品預け替え取引の情報として、ＨＤ６１１に記憶するものとする。
Ｓ９０５において、ＣＰＵ６０１は、Ｓ９０４で送信された購入商品の変更の指示に応じて、Ｓ７０４で申し込まれた商品預け替え取引における購入商品の変更処理を行う。例えば、ＣＰＵ６０１は、Ｓ９０４で購入商品の変更の指示と併せて送信された商品預け替え取引の情報（例えば受付番号の情報）に対応する商品預け替え取引の情報を、ＨＤ６１１に記憶した申込済みの商品預け替え取引の情報の中から取得する。そして、ＣＰＵ６０１は、取得した申込済みの商品預け替え取引の情報の購入商品の情報に含まれる変更締切時点を取得する。ＣＰＵ６０１は、Ｓ９０４で購入商品の変更の指示が送信された時点が、取得した変更締切時点以前であるか否かを判定する。
【００４５】
ＣＰＵ６０１は、Ｓ９０４で購入商品の変更の指示が送信された時点が、取得した変更締切時点以前であると判定した場合、取得した申込済みの商品預け替え取引の情報の購入商品の情報を、Ｓ９０４で購入商品の変更の指示と併せて送信された変更後の購入商品の情報で、更新する。そして、ＣＰＵ６０１は、購入商品の情報を更新した申込済みの商品預け替え取引の情報を、ＨＤ６１１に記憶する。また、ＣＰＵ６０１は、変更前の購入商品の情報を残すために、取得した申込済みの商品預け替え取引の情報に、Ｓ９０４で購入商品の変更の指示と併せて送信された変更後の購入商品の情報を追加することとしてもよい。そして、ＣＰＵ６０１は、購入商品の情報を追加した申込済みの商品預け替え取引の情報を、ＨＤ６１１に記憶する。
また、ＣＰＵ６０１は、Ｓ９０４で購入商品の変更の指示が送信された時点が、取得した変更締切時点より後であると判定した場合、加入者装置１３１（Ｘ）に対して、指示された購入商品の変更は無効であることを示す情報を送信する。
【００４６】
管理サーバ装置１４１、資産管理機関装置１２１（Ｘ）、商品提供機関装置１１１（Ｘ）は、Ｓ９０６の処理の開始以前に、Ｓ７０５〜Ｓ７０８の処理を行う。
Ｓ９０６において、ＣＰＵ６０１は、Ｓ７０８で売却の約定がなされたことを示す情報を受信すると、Ｓ９０５で変更されたＳ７０４で申し込まれた商品預け替え取引における購入商品の購入に関する運用指示を資産管理機関装置１２１（Ｘ）に対して送信する。例えば、ＣＰＵ６０１は、Ｓ９０５で変更した購入商品の情報と、Ｓ７０８で受信した加入者Ａが売却で得た金額の情報と、加入者Ａの情報と、を資産管理機関装置１２１（Ｘ）に対して送信することで、送信した購入商品の情報に対応する商品を、送信した加入者Ａが売却で得た金額の情報に対応する金額分購入する運用を行うことを通知する。
Ｓ９０７において、ＣＰＵ６０１は、Ｓ７０８で売却の約定がなされたことを示す情報を受信すると、Ｓ９０５で変更されたＳ７０４で申し込まれた商品預け替え取引における購入商品の購入に関する運用指示を資産管理機関装置１２１（Ｘ）に対して送信する。例えば、ＣＰＵ６０１は、Ｓ９０５で変更した購入商品の情報と、Ｓ７０８で受信した加入者Ａが売却で得た金額の情報と、加入者Ａの情報と、を資産管理機関装置１２１（Ｘ）に対して送信することで、送信した購入商品の情報に対応する商品を、送信した加入者Ａが売却で得た金額の情報に対応する金額分購入する運用を行うことを指示する。
【００４７】
商品提供機関装置１１１（Ｘ＋ｍ）のＣＰＵは、管理サーバ装置１４１から商品を購入する運用の指示を受信すると、商品の購入の約定の際に行うよう設定されている処理を実行する。例えば、商品提供機関装置１１１（Ｘ）のＣＰＵは、購入商品の購入の約定がなされた場合、管理サーバ装置１４１から受信した購入する商品の情報、加入者Ａが商品の売却で得た金額の情報、及び、加入者Ａの情報を、約定された取引の情報として商品提供機関装置１１１（Ｘ）のＨＤ等に記憶する処理を行う。
Ｓ９０６の処理とＳ０９０７の処理とは、実行の順序を問わない。本実施形態では、ＣＰＵ６０１は、Ｓ９０６の処理の後にＳ９０７の処理を行うこととしたが、Ｓ９０７の処理の後にＳ９０６の処理を行ってもよい。
【００４８】
Ｓ９０８において、商品提供機関装置１１１（Ｘ＋ｍ）のＣＰＵは、Ｓ９０７で指示された購入の取引が約定されたことを示す情報を、資産管理機関装置１２１（Ｘ）に送信する。資産管理機関１２０（Ｘ）は、約定された購入の取引の受け渡しの際に、購入金額を商品提供機関１１０（Ｘ＋ｍ）に渡すことになる。
Ｓ９０９において、商品提供機関装置１１１（Ｘ＋ｍ）のＣＰＵは、Ｓ９０７で指示された購入の取引が約定されたことを示す情報を、管理サーバ装置１４１に送信する。
Ｓ９０８の処理とＳ９０９の処理とは、実行の順序を問わない。本実施形態では、商品提供機関装置１１１（Ｘ＋ｍ）のＣＰＵは、Ｓ９０８の処理の後にＳ９０９の処理を行うこととしたが、Ｓ９０９の処理の後にＳ９０８の処理を行ってもよい。
Ｓ９１０において、ＣＰＵ６０１は、Ｓ９０９で購入取引の約定がなされたことを示す情報が通知された場合、Ｓ７０４で申し込まれた商品預け替え取引が完了したことを示す情報を、加入者装置１３１（Ｘ）に送信する。
【００４９】
ここで、管理サーバ装置１４１が、Ｓ７０４で商品預け替え取引申込を受付けた場合に行う処理について説明する。
図１２は、商品預け替え取引申込受付の際の管理サーバ装置１４１の処理の一例を示すフローチャートである。
Ｓ１２０１において、ＣＰＵ６０１は、加入者装置１３１（Ｘ）からＳ７０４でなされた商品預け替え取引申込を受け付ける。また、ＣＰＵ６０１は、加入者装置１３１（Ｘ）から商品預け替え取引申込と併せて送信された売却商品の情報、売却商品の数量の情報、購入商品の情報を取得する。
Ｓ１２０２において、ＣＰＵ６０１は、Ｓ１２０１で取得した購入商品の情報に対応する商品の購入取引の発注日を取得する。ＣＰＵ６０１は、商品提供機関装置１１１のそれぞれ等から、商品提供機関装置１１１のそれぞれが提供する商品について、売却の約定が可能な日、売却の受け渡しが可能な日、購入の約定が可能な日、購入の受け渡しが可能な日の情報を取得し、取得した情報をＨＤ６１１にスケジュール情報として記憶している。ＣＰＵ６０１は、ＨＤ６１１からスケジュール情報を取得し、取得したスケジュール情報の中から、Ｓ１２０１で取得した購入商品についての発注日の情報を取得する。また、ＨＤ６１１は、購入商品の購入取引が一日のうちのどの時点で行われることになるかを示す情報を、予め記憶している。ＣＰＵ６０１は、ＨＤ６１１から購入商品の購入取引が一日のうちのいつの時点で行われることになるかを示す情報を取得する。そして、ＣＰＵ６０１は、取得した購入商品についての発注日の情報と、購入商品の購入取引が一日のうちのいつの時点で行われることになるかを示す情報と、に基づいて購入商品の購入取引が行われることになる時点の情報を、購入商品の発注時点の情報として取得する。
【００５０】
Ｓ１２０３において、ＣＰＵ６０１は、Ｓ１２０２で取得した購入商品の発注時点の情報に基づいて、購入商品の変更可能な期限の締め切りである変更締切時点を決定する。ＣＰＵ６０１は、購入商品の発注時点よりも時系列上で前の時点を、購入商品の変更可能な期限の締め切りである変更締切時点として決定する。例えば、ＣＰＵ６０１は、変更締切時点を、Ｓ１２０２で取得した購入商品の発注時点より、設定された期間前の時点に決定してもよい。変更締切時点を購入商品の発注時点のどの程度前に決定するかを示す情報は、予め、ＨＤ６１１に設定ファイル等の形式で記憶されているものとする。ＣＰＵ６０１は、管理サーバ装置１４１のＫＢ３０９等の入力装置を介した操作に基づいて、ＨＤ６１１に記憶された変更締切時点を購入商品の発注時点のどの程度前に決定するかを示す情報の内容を変更することができる。
また、ＣＰＵ６０１は、Ｓ１２０２で取得した購入商品の発注日の情報に基づいて、購入商品の変更可能な期限の締め切りである変更締切時点を決定することとしてもよい。ＣＰＵ６０１は、Ｓ１２０２で取得した購入商品の発注時点よりも時系列上で前になるように、購入商品の変更可能な期限の締め切りである変更締切時点を決定する。例えば、ＣＰＵ６０１は、変更締切時点を、Ｓ１２０２で取得した購入商品の発注日の午前１０時に決定してもよい。変更締切時点を購入商品の発注日のどの時点に決定するかを示す情報は、予め、ＨＤ６１１に設定ファイル等の形式で記憶されているものとする。ＣＰＵ６０１は、管理サーバ装置１４１のＫＢ３０９等の入力装置を介した操作に基づいて、ＨＤ６１１に記憶された変更締切時点を購入商品の発注日のどの時点に決定するかを示す情報の内容を変更することができる。
また、ＣＰＵ６０１は、変更締切時点を、Ｓ１２０１で受信した売却商品の情報に対応する商品の受け渡しの時点に基づいて、変更締切時点を決定してもよい。例えば、ＣＰＵ６０１は、ＨＤ６１１に記憶されているスケジュール情報から、Ｓ１２０１で受信した売却商品の情報に対応する売却商品の受け渡し日の情報を取得する。また、ＨＤ６１１は、売却商品の受け渡し取引が一日のうちのどの時点で行われることになるかを示す情報を、予め記憶している。ＣＰＵ６０１は、ＨＤ６１１から売却商品の受け渡し取引が一日のうちのいつの時点で行われることになるかを示す情報を取得する。そして、ＣＰＵ６０１は、取得した売却商品についての発注日の情報と、売却商品の売却取引が一日のうちのいつの時点で行われることになるかを示す情報と、に基づいて売却商品の受け渡し取引が行われることになる時点の情報を、売却商品の受け渡し時点の情報として取得する。ＣＰＵ６０１は、変更締切時点を、取得した売却商品の受け渡し時点より時系列上で後の時点に決定する。例えば、ＣＰＵ６０１は、変更締切時点を、取得した売却商品の受け渡し時点より、設定された期間後の時点に決定してもよい。変更締切時点を売却商品の受け渡し時点のどの程度後に決定するかを示す情報は、予め、ＨＤ６１１に設定ファイル等の形式で記憶されているものとする。ＣＰＵ６０１は、管理サーバ装置１４１のＫＢ３０９等の入力装置を介した操作に基づいて、ＨＤ６１１に記憶された変更締切時点を売却商品の受け渡し時点のどの程度後に決定するかを示す情報の内容を変更することができる。
また、ＣＰＵ６０１は、Ｓ１２０２で取得した売却商品の受け渡し日の情報に基づいて、購入商品の変更可能な期限の締め切りである変更締切時点を決定することとしてもよい。ＣＰＵ６０１は、Ｓ１２０２で取得した購入商品の発注時点よりも時系列上で前になるように、購入商品の変更可能な期限の締め切りである変更締切時点を決定する。例えば、ＣＰＵ６０１は、変更締切時点を、Ｓ１２０２で取得した売却商品の受け渡し日の午前１０時に決定してもよい。変更締切時点を売却商品の受け渡し日のどの時点に決定するかを示す情報は、予め、ＨＤ６１１に設定ファイル等の形式で記憶されているものとする。ＣＰＵ６０１は、管理サーバ装置１４１のＫＢ３０９等の入力装置を介した操作に基づいて、ＨＤ６１１に記憶された変更締切時点を売却商品の発注日のどの時点に決定するかを示す情報の内容を変更することができる。
【００５１】
本実施形態では、ＣＰＵ６０１は、変更締切時点を、購入商品の発注時点に基づいて決定することとした。しかし、ＨＤ６１１が予め、購入可能な商品毎の発注日、約定日等と共に変更締切時点の情報を含むスケジュール情報を記憶している場合、ＣＰＵ６０１は、ＨＤ６１１が記憶しているスケジュール情報に含まれる変更締切時点を利用してもよい。
Ｓ１２０４において、ＣＰＵ６０１は、Ｓ１２０１で申し込まれた商品預け替え取引について、商品預け替え取引を一意に特定できる受付番号を決定する。そして、ＣＰＵ６０１は、決定した受付番号、Ｓ１２０３で決定した変更締切時点、加入者Ａの情報、Ｓ１２０１で商品預け替え取引申込と併せて受信した売却商品の情報、売却商品の売却数量の情報、購入商品の情報を、申込済みの商品預け替え取引の情報として、ＨＤ６１１に記憶する。図１３（ａ）は、Ｓ１２０４でＨＤ６１１に記憶される申込済みの商品預け替え取引の情報の一例である。また、ＣＰＵ６０１は、申込済みの商品預け替え取引の情報に、売却商品の発注日、売却商品の約定日、購入商品の発注日、購入商品の約定日、売却商品の単価、購入商品の単価等の情報を含めて記憶することとしてもよい。ＣＰＵ６０１は、定期的に売却商品の発注日、売却商品の約定日、購入商品の発注日、購入商品の約定日、売却商品の単価、購入商品の単価等の情報を、商品提供機関装置１１１のそれぞれから取得し、予め、ＨＤ６１１に記憶しているものとする。
【００５２】
図１４は、図９の処理における管理サーバ装置１４１の処理の詳細を示すフローチャートである。図１４を用いて、管理サーバ装置１４１の処理を説明する。
Ｓ１４０１において、ＣＰＵ６０１は、加入者装置１３１（Ｘ）からの購入商品変更要求を受信する。
Ｓ１４０２において、ＣＰＵ６０１は、図１０Ａ〜Ｄに示す購入商品変更画面の情報を、加入者装置１３１（Ｘ）に送信し、購入商品変更画面を、加入者装置１３１（Ｘ）の表示部に表示するよう指示する。
Ｓ１４０３において、ＣＰＵ６０１は、加入者装置１３１（Ｘ）から、購入商品変更画面を介して入力された情報と併せて、購入商品を変更する指示を受信する。例えば、ＣＰＵ６０１は、購入商品変更画面を介して入力された情報として、購入商品の変更を行う商品預け替え取引の情報（例えば受付番号の情報）と、変更後の購入商品の情報を受信する。
【００５３】
Ｓ１４０４において、ＣＰＵ６０１は、Ｓ１４０３で購入商品を変更する指示を受信した時点が、変更締切時点以前か否かを判定する。例えば、ＣＰＵ６０１は、ＨＤ６１１に記憶されている申込済みの商品預け替え取引の情報の中から、Ｓ１４０３で送信された購入商品の変更を行う商品預け替え取引の情報に対応する情報を取得する。ＣＰＵ６０１は、取得した申込済みの商品預け替え取引の情報の中から変更締切時点の情報を取得し、取得した情報に対応する時点を変更締切時点として取得する。そして、ＣＰＵ６０１は、Ｓ１４０３で購入商品を変更する指示を受信した時点と、取得した変更締切時点とを比較する。
ＣＰＵ６０１は、Ｓ１４０３で購入商品を変更する指示を受信した時点が、変更締切時点以前であると判定した場合、Ｓ１２０５の処理に進む。また、ＣＰＵ６０１は、Ｓ１４０３で購入商品を変更する指示を受信した時点が、変更締切時点より後であると判定した場合、図１４の処理を終了する。
【００５４】
Ｓ１４０５において、ＣＰＵ６０１は、Ｓ１４０３で受信した購入商品の変更を行う商品預け替え取引の情報に対応する商品預け替え取引について、購入商品を変更する処理を行う。例えば、ＣＰＵ６０１は、Ｓ１４０４でＨＤ６１１から取得した申込済みの商品預け替え取引の情報の購入商品の情報を、Ｓ１４０３で受信した購入商品の情報で更新する。そして、ＣＰＵ６０１は、Ｓ１４０３で受信した購入商品の情報に対応する商品について、変更締切時点を改めて決定する。変更締切時点の決定方法は、Ｓ１２０３と同様である。ＣＰＵ６０１は、改めて決定した変更締切時点の情報で、Ｓ１４０４でＨＤ６１１から取得した申込済みの商品預け替え取引の情報の変更締切時点の情報を更新する。そして、ＣＰＵ６０１は、購入商品の情報と、変更締切時点の情報と、を更新した申込済みの商品預け替え取引の情報を、ＨＤ６１１に記憶することで、購入商品の変更を行う。
また、ＣＰＵ６０１は、変更前の購入商品の情報を残すために、Ｓ１４０４で取得した申込済みの商品預け替え取引の情報に、Ｓ１４０３で受信した変更後の購入商品の情報を追加することとしてもよい。そして、ＣＰＵ６０１は、購入商品の情報を追加し、変更締切時点の情報を更新した申込済みの商品預け替え取引の情報を、ＨＤ６１１に記憶することとしてもよい。変更前の購入商品を残した場合にＣＰＵ６０１がＳ１４０５で記憶する申込済みの商品預け替え取引の情報の一例を、図１３（ｂ）に示す。
【００５５】
Ｓ１４０６において、ＣＰＵ６０１は、商品提供機関装置１１１（Ｘ）から売却の約定がなされたことを示す情報を受信すると、Ｓ１４０５で変更された商品預け替え取引における購入商品の購入に関する運用指示を資産管理機関装置１２１（Ｘ）、商品提供機関装置１１１（Ｘ＋ｍ）に対して送信する。例えば、ＣＰＵ６０１は、Ｓ１４０５でＨＤ６１１に記憶した申込済みの商品預け替え取引の情報の購入商品の情報と、売却商品の売却で得られた金額の情報と、加入者Ａの情報と、を資産管理機関装置１２１（Ｘ）及び商品提供機関装置１１１（Ｘ＋ｍ）に対して送信する。これにより、ＣＰＵ６０１は、資産管理機関装置１２１（Ｘ）に購入商品を購入する運用を行うことを連絡し、商品提供機関装置１１１（Ｘ＋ｍ）に対して購入商品を購入する運用を指示する。
Ｓ１４０７において、ＣＰＵ６０１は、商品提供機関装置１１１（Ｘ＋ｍ）から、Ｓ１４０６で指示した購入の取引が約定されたことを示す情報を、受信する。
Ｓ１４０８において、ＣＰＵ６０１は、Ｓ１４０７で購入取引の約定がなされたことを示す情報を受信すると、申込まれた商品預け替え取引が完了したことを示す情報を、加入者装置１３１（Ｘ）に送信する。
【００５６】
本実施形態では、管理サーバ装置１４１は、単一の情報処理装置であるとした。しかし、管理サーバ装置１４１は、複数の情報処理装置で構成されるシステムであってもよい。その場合、管理サーバ装置１４１に含まれる複数の情報処理装置のそれぞれのＣＰＵが、それぞれの情報処理装置のＲＯＭ、ＨＤ等に記憶されたプログラムを実行することで、図５で説明した管理サーバ装置１４１の機能、図７、９で後述するシーケンス図における管理サーバ装置１４１の処理、図１２、１５で後述するフローチャートの処理等が実現されることになる。
本実施形態では、商品提供機関装置１１１のそれぞれは、単一の情報処理装置であるとした。しかし、商品提供機関装置１１１のそれぞれは、複数の情報処理装置で構成されるシステムであってもよい。その場合、商品提供機関装置１１１のそれぞれに含まれる複数の情報処理装置のそれぞれのＣＰＵが、それぞれの情報処理装置のＲＯＭ、ＨＤ等に記憶されたプログラムを実行することで、商品提供機関装置１１１の機能、図７、９で後述するシーケンス図における商品提供機関装置１１１の処理等が実現される。
【００５７】
本実施形態では、資産管理機関装置１２１のそれぞれは、単一の情報処理装置であるとした。しかし、資産管理機関装置１２１のそれぞれは、複数の情報処理装置で構成されるシステムであってもよい。その場合、資産管理機関装置１２１のそれぞれに含まれる複数の情報処理装置のそれぞれのＣＰＵが、それぞれの情報処理装置のＲＯＭ、ＨＤ等に記憶されたプログラムを実行することで、資産管理機関装置１２１の機能、図７、９で後述するシーケンス図における資産管理機関装置１２１の処理等が実現される。
本実施形態では、加入者装置１３１のそれぞれは、単一の情報処理装置であるとした。しかし、加入者装置１３１のそれぞれは、複数の情報処理装置で構成されるシステムであってもよい。その場合、加入者装置１３１のそれぞれに含まれる複数の情報処理装置のそれぞれのＣＰＵが、それぞれの情報処理装置のＲＯＭ、ＨＤ等に記憶されたプログラムを実行することで、加入者装置１３１の機能、図７、９で後述するシーケンス図における加入者装置１３１の処理等が実現される。
【００５８】
本実施形態では、管理サーバ装置１４１は、加入者装置１３１からの購入商品の変更要求に応じて、購入商品変更画面の情報を加入者装置１３１に送信し、購入商品変更画面を介して入力された情報を、加入者装置１３１から受信し、受信した情報に基づいて、申込済みのスイッチングにおける購入商品の変更を行うこととした。しかし、加入者は、自己の保有する加入者装置１３１を介さずに、運営管理機関１４０に対して、電話や書類郵送等により、購入商品の変更の指示を行ってもよい。その場合、Ｓ９０１〜Ｓ９０４の処理は、実行されないことになる。運営管理機関１４０のオペレータ等は、加入者から電話や書類郵送で指示された内容を、管理サーバ装置１４１の入力装置を介して、管理サーバ装置１４１に入力することになる。
例えば、ＣＰＵ６０１は、図１０Ａ〜Ｄと同様の購入商品変更画面を、ＣＲＴ６１０に表示する。そして、ＣＰＵ６０１は、ＣＲＴ６１０に表示した購入商品変更画面を介した運営管理機関１４０のオペレータ等の操作に基づいて、Ｓ９０４で送信されるものと同様の情報の入力を受け付ける。そして、ＣＰＵ６０１は、ＣＲＴ６１０に表示した購入商品変更画面を介して入力された情報に基づいて、Ｓ９０５以降の処理を行うことになる。
【００５９】
以上、本実施形態の処理により、運用支援システム１００は、申込まれた商品預け替え取引について、購入商品の購入時点より前の変更締切時点まで、購入商品の変更を受け付けることができる。これにより、商品預け替え取引申込者は、商品預け替え取引申込後に購入商品の単価が想定外の値に変動した場合、購入商品を変更することで、想定外の単価で元々の購入商品を購入せずに済む。即ち、運用支援システム１００は、商品預け替え取引において想定外の単価で商品を購入するリスクを低減させる技術を提供することができるという効果を奏する。特に、商品を売却する際に約定日から受け渡し日までの間にタイムラグがあり、購入商品の単価の変動の可能性が比較的大きい確定拠出年金制度等において、特に上記の効果を奏することができる。
【００６０】
本実施形態では、運用支援システム１００を企業型年金に対応したものとしたが、これに限られることはなく、個人型年金にも対応可能である。個人型年金の場合、資産管理機関１２０（１）、１２０（２）、・・・、１２０（Ｘ）、・・・が国民年金基金連合会又は国民年金基金連合会から委託を受けた金融機関等に相当し、また、企業１３０は、国民年金基金連合会に相当する。そして、国民年金基金連合会又は国民年金基金連合会から委託を受けた金融機関等のそれぞれは、本実施形態の資産管理機関装置１２１に対応する装置を有する。運用支援システム１００の構成及び処理については企業型年金の場合と同様である。
【符号の説明】
【００６１】
１００  運用支援システム、１４１  管理サーバ装置、６０１  ＣＰＵ
【図１】
0006785580.tif 000002
【図２】
0006785580.tif 000003
【図３】
0006785580.tif 000004
【図４】
0006785580.tif 000005
【図５】
0006785580.tif 000006
【図６】
0006785580.tif 000007
【図７】
0006785580.tif 000008
【図８Ａ】
0006785580.tif 000009
【図８Ｂ】
0006785580.tif 000010
【図８Ｃ】
0006785580.tif 000011
【図８Ｄ】
0006785580.tif 000012
【図８Ｅ】
0006785580.tif 000013
【図９】
0006785580.tif 000014
【図１０Ａ】
0006785580.tif 000015
【図１０Ｂ】
0006785580.tif 000016
【図１０Ｃ】
0006785580.tif 000017
【図１０Ｄ】
0006785580.tif 000018
【図１１Ａ】
0006785580.tif 000019
【図１１Ｂ】
0006785580.tif 000020
【図１１Ｃ】
0006785580.tif 000021
【図１２】
0006785580.tif 000022
【図１３】
0006785580.tif 000023
【図１４】
0006785580.tif 000024